(57)【特許請求の範囲】
【請求項１】
第１系と第２系で互いにＭＰＥＧ（Moving Picture Experts Group）で規定されるＴＳ（Transport Stream）の監視を行う監視装置であって、
前記第１系と第２系の各ＴＳパケットをそれぞれ取得するＴＳパケット取得手段と、
このＴＳ取得手段により取得された第１系のＴＳパケットと第２系のＴＳパケットとを比較する比較手段と、
この比較手段による比較結果を含む所定の監視情報を蓄積する情報蓄積手段とを具備し、
前記比較手段は、第１系及び第２系のＴＳパケット数を比較することを特徴とする監視装置。
【請求項２】
さらに、前記比較手段による比較結果が不一致を示す場合に、この不一致の旨をアラームとして外部に報知するアラーム出力手段を備えることを特徴とする請求項１記載の監視装置。
【請求項３】
さらに、前記比較手段による比較結果が不一致を示す場合に、この不一致の旨をアラームとして外部に報知するアラーム出力手段と、
このアラーム出力手段によるアラーム出力状態で、前記比較手段による比較結果に基づいて、前記アラーム出力手段に対するアラーム出力の実行・停止を制御するアラーム出力制御手段とを備えることを特徴とする請求項１記載の監視装置。
【請求項４】
さらに、表示器と、前記情報蓄積手段に蓄積された所定の監視情報を前記表示器に表示する表示制御手段とを備えることを特徴とする請求項１記載の監視装置。
【請求項５】
第１系と第２系で互いにＭＰＥＧ（Moving Picture Experts Group）で規定されるＴＳ（Transport Stream）の監視を行う監視方法であって、
前記第１系と第２系の各ＴＳパケットをそれぞれ取得する第１の過程と、
この第１の過程により取得された第１系のＴＳパケットと第２系のＴＳパケットとを比較する第２の過程と、
この第２の過程による比較結果を含む所定の監視情報を蓄積する第３の過程とを具備し、
前記第２の過程は、第１系及び第２系のＴＳパケット数を比較することを特徴とする監視方法。
【発明の詳細な説明】
【０００１】
【発明の属する技術分野】
この発明は、例えば二重化構造を有するデジタル放送信号送出システムに係り、特に第１系・第２系のそれぞれから送出されるＴＳ（Ｔｒａｎｓｐｏｒｔ  Ｓｔｒｅａｍ）の監視を行う監視装置及び監視方法に関する。
【０００２】
【従来の技術】
従来より、放送送出設備にあっては、機器の故障対策及び保守のために、第１系・第２系の二重化構成とすることが一般的となっている。
【０００３】
近年では、デジタル放送が開始され、このデジタル放送の放送送出設備にあっても、機器の故障対策及び保守のために、第１系・第２系の二重化構成としている。
【０００４】
ここで、デジタル放送の放送送出設備では、各系統のＴＳの送出状況を監視する必要があることから各系統毎に監視装置を設けるようにしている。
【０００５】
【発明が解決しようとする課題】
ところで、上記監視装置では、ＴＳの送出状況を監視するために、ＴＳ送出内容を示すスケジュール、パケット数に相当するビットレート、送出ＰＩＤ（Ｐａｃｋｅｔ  ＩＤ）等の監視に必要なＴＳの詳細データを予め設定しておく必要がある。このため、監視者は、監視に必要なＴＳの詳細データ設定を行った上で、監視を行わなければならず、監視のために手間がかかるとともに操作ミスなども起こし易くなる。また、スケジュール変更があった場合に、その都度データの再設定が必要となり運用も大変であった。
【０００６】
そこで、この発明の目的は、各系統で送出されるデジタル放送信号に対する監視を人手を要することなく、しかも低コストで行うことが可能な監視装置及び監視方法を提供することにある。
【０００７】
【課題を解決するための手段】
この発明に係る監視装置は、上記目的を達成するために、以下のように構成される。
（１）第１系と第２系で互いに伝送ブロックに割り当てられたデジタル信号の監視を行う監視装置であって、
第１系と第２系の各デジタル信号をそれぞれ取得するデジタル信号取得手段と、このデジタル信号取得手段により取得された第１系のデジタル信号と第２のデジタル信号とを比較する比較手段と、この比較手段による比較結果を含む所定の監視情報を蓄積する情報蓄積手段とを備えるようにしたものである。なお、ＭＰＥＧ（Ｍｏｖｉｎｇ  Ｐｉｃｔｕｒｅ  Ｅｘｐｅｒｔｓ  Ｇｒｏｕｐ）で規定されるＴＳ（Ｔｒａｎｓｐｏｒｔ  Ｓｔｒｅａｍ）の監視を行う場合にも、同様な構成となる。
【０００８】
（１）の構成によれば、実際に各系統から送出されるＴＳが取込まれ、各系統のＴＳが比較されることにより、系統間で同じＴＳ、つまり送出すべきＴＳが送出されているか否かの判断がなされ、その判断結果を含み、かつ各系統のＴＳの送出状況を示す監視情報が蓄積される。
【０００９】
従って、各系統について監視に必要なＴＳの詳細データ設定を行う必要がなく、上記蓄積された監視情報に基づいて、各系統で共通の１つの装置で系統ごとのＴＳの異常発生状況の管理を行うことが可能となり、これにより運用上の手間及びコストを大幅に低減できる。
【００１０】
（２）さらに、上記比較手段による比較結果が不一致を示す場合に、この不一致の旨をアラームとして外部に報知するアラーム出力手段を備えることを特徴とする。
【００１１】
（２）によれば、送出すべきＴＳに異常が発生した旨を外部に知らせることができ、これにより復旧操作などの対応処置を迅速に講じることが可能となる。
【００１２】
（３）さらに、比較手段による比較結果が不一致を示す場合に、この不一致の旨をアラームとして外部に報知するアラーム出力手段と、このアラーム出力手段によるアラーム出力状態で、前記比較手段による比較結果に基づいて、アラーム出力手段に対するアラーム出力の実行・停止を制御するアラーム出力制御手段とを備えることを特徴とする。
【００１３】
（３）によれば、各系統のＴＳの異常が復旧した場合には、アラーム出力が自動的に停止する。このため、例えばＴＳの異常が一時的なものでその後正常に戻った場合に、監視者の復旧操作を待たずに迅速に復旧することができる。
【００１４】
（４）さらに、表示器と、情報蓄積手段に蓄積された所定の監視情報を表示器に表示する表示制御手段とを備えることを特徴とする。
【００１５】
（４）によれば、監視者は、表示器に表示される監視情報を見ることで、常に各系統のＴＳの送出状況を監視することができる。
【００１６】
（５）上記比較手段は、第１系及び第２系のＴＳのパケットをそれぞれ保持する第１及び第２のパケット保持機能と、この第１のパケット保持機能で保持されているパケットと、新たに入力される第１系のＴＳのパケットとを用いてデジタルフィルタリング処理を実行する第１のフィルタリング処理機能と、第１のパケット保持機能で保持されているパケットと、新たに入力される第１系のＴＳのパケットとを用いてデジタルフィルタリング処理を実行する第１のフィルタリング処理機能と、第２のパケット保持機能で保持されているパケットと、新たに入力される第２系のＴＳのパケットとを用いてデジタルフィルタリング処理を実行する第２のフィルタリング処理機能と、第１及び第２のフィルタリング処理機能の各出力を比較する比較機能とを備えることを特徴とする。
【００１７】
（５）によれば、各系統のＴＳのパケットに歪みが生じた場合に、既に保持されているＴＳのパケットを用いてデジタルフィルタリング処理を行うことにより、歪み成分を除去することができ、これによりさらに安定したＴＳの監視を行うことができる。
【００１８】
【発明の実施の形態】
以下、この発明の実施形態について図面を参照して詳細に説明する。
【００１９】
図１は、この発明に係るＴＳ監視装置が使用される局内システムの一実施形態を示すブロック図である。
【００２０】
図１において、符号１はＴＳ監視装置で、ＴＳインタフェース部（ＴＳＩ／Ｆ）１１，１２と、カウンタ１３，１４と、比較器１５と、タイマ１６と、メモリ１７，１８と、表示制御器１９と、表示器２０と、ブザー駆動部２１と、ブザー２２と、ブザー制御器２３とを備えている。
【００２１】
ＴＳインタフェース部１１は、第１系に設けられるＴＳパケット送出装置２から送出されるＴＳパケットを取込む。また、ＴＳインタフェース部１２は、第２系に設けられるＴＳパケット送出装置３から送出されるＴＳパケットを取込む。
【００２２】
カウンタ１３は、ＴＳインタフェース部１１により取込まれたＴＳパケットの数をカウントし、そのカウンタ値を含めた所定の出力情報を比較器１５に出力する。カウンタ１４は、ＴＳインタフェース部１２により取込まれたＴＳパケットの数をカウントし、そのカウンタ値を含めた所定の出力情報を比較器１５に出力する。
【００２３】
比較器１５は、タイマ１６にセットされた時間間隔で、各カウンタ１３，１４の出力を比較し、この比較結果に対応する情報をメモリ１７から読み出して、メモリ１８、ブザー駆動部２１及びブザー制御器２３に出力する。ここで、メモリ１７の記憶内容の一例を図２に示す。
【００２４】
メモリ１８には、比較器１５による比較結果を含めた所定の監視情報が記憶される。そして、メモリ１８に記憶された所定の監視情報は、表示制御器１９によって読み出され、表示器２０に表示される。ここで、表示器２０の表示内容の一例を図３に示す。なお、図３において、＃１は第１系を示し、＃２は第２系を示している。
【００２５】
ブザー駆動部２１は、比較器１５の出力が「異常」を示す場合に、ブザー２２を駆動し、外部にアラームを出す。
【００２６】
ブザー制御器２３は、ブザー２２からアラームを発している状態で、比較器１５から正常である旨が通知された場合に、ブザー駆動部２１を制御してブザー２２を停止させる。
【００２７】
次に、上記構成における処理動作につき説明する。
まず、ＴＳパケット送出装置２，３では、互いに独立して同一のＴＳパケットを生成する。これらのＴＳパケットは、ＭＰＥＧ２符号化方式で規格されている。
【００２８】
ここで、ＴＳ監視装置１では、上記ＴＳパケット送出装置２からのＴＳパケットをＴＳインタフェース部１１に入力し、上記ＴＳパケット送出装置３からのＴＳパケットをＴＳインタフェース部１２に入力し、各ＴＳインタフェース部１１，１２の出力を各カウンタ１３，１４で所定バイト数カウントする。
【００２９】
各カウンタ１３，１４でカウントされた結果は、比較器１５によって比較され、その比較結果を示す情報、つまり比較結果に対応するメモリ１７の記憶情報はメモリ１８に記憶されるとともに、ブザー駆動部２１及びブザー制御器２３に通知される。なお、メモリ１８に記憶された監視情報は、表示制御器１９によって表示器２０に表示される。
【００３０】
ブザー駆動部２１では、比較器１５からの情報から規定差、例えば１００パケット以上を超えた場合に、異常発生と判断してブザー２２を駆動して外部にアラームを発生する。
【００３１】
一方、ブザー制御器２３では、ブザー駆動部２１の状態を監視するとともに、アラームが発生されている状態で、比較器１５から正常になった旨が通知されると、ブザー駆動部２１に対し停止制御を行う。
【００３２】
以上のように上記実施形態によれば、各ＴＳパケット送出装置２，３から送出されるＴＳパケットがそれぞれＴＳインタフェース部１１，１２に取込まれ、各カウンタ１３、１４で１パケット単位でカウントされた後、各系統のカウンタ値が比較器１５によって比較されることにより、系統間で同じＴＳ、つまり送出すべきＴＳが送出されているか否かの判断がなされ、その判断結果を含み、かつ各系統のＴＳの送出状況を示す監視情報がメモリ１８に蓄積される。
【００３３】
従って、各系統について監視に必要なＴＳの詳細データ設定を行う必要がなく、上記メモリ１８に蓄積された監視情報に基づいて、各系統で１台のＴＳ監視装置１で系統ごとのＴＳの異常発生状況の管理を行うことが可能となり、これにより運用上の手間及びコストを大幅に低減でき、さらに人手を介在させない分、信頼性を向上させたＴＳ監視装置１を提供できる。また、ＴＳインタフェース部１１，１２を交換し、ケーブル配線のみで既存のシステムへの接続追加も容易にできる。
【００３４】
また、上記実施形態によれば、比較器１５による比較結果が異常を表わす場合に、ブザー２２により外部にアラームが発せられるので、送出すべきＴＳに異常が発生した旨を外部に知らせることができ、これにより復旧操作などの対応処置を迅速に講じることが可能となる。
【００３５】
また、上記実施形態によれば、ブザー制御器２３において、ブザー２２からアラームが発生されている状態で、比較器１５から正常になった旨が通知された場合に、ブザー２２からのアラーム出力が停止されるので、例えばＴＳの異常が一時的なものでその後正常に戻った場合に、監視者の復旧操作を待たずに迅速に復旧することができる。
【００３６】
なお、上記実施形態では、比較器１５において、ＴＳパケットの数を比較する例について説明したが、例えばＴＳパケットのＰＩＤを抽出し、ＰＩＤ毎の比較を行いアラーム判断することにより、よりきめの細かい監視が可能となる。また、ＴＳパケット自体を比較するようにしてもよい。
【００３７】
また、比較器１５に、第１系及び第２系のＴＳパケットをそれぞれ保持する第１及び第２のパケット保持機能と、この第１のパケット保持機能で保持されているパケットと、新たに入力される第１系のＴＳのパケットとを用いてデジタルフィルタリング処理を実行する第１のフィルタリング処理機能と、第１のパケット保持機能で保持されているパケットと、新たに入力される第１系のＴＳのパケットとを用いてデジタルフィルタリング処理を実行する第１のフィルタリング処理機能と、第２のパケット保持機能で保持されているパケットと、新たに入力される第２系のＴＳのパケットとを用いてデジタルフィルタリング処理を実行する第２のフィルタリング処理機能と、第１及び第２のフィルタリング処理機能の各出力を比較する比較機能とをさらに設けるようにしてもよい。
【００３８】
このようにすれば、さらに安定したＴＳの監視を行うことができる。また、カウンタ１３，１４によるカウント結果を保持してデジタルフィルタリング処理を施すようにしてもよい。
【００３９】
また、上記実施形態では、ＴＳパケットの監視を行う例について説明したが、この他にデジタル制御信号等の監視を行うようにしてもよい。
【００４０】
また、上記実施形態では、メモリ１８に蓄積された所定の監視情報を表示器２０に表示する例について説明したが、例えばメモリ１８に蓄積された所定の監視情報をプリンタにより帳表出力したり、通信回線を介してセンタに送信し、センタにて集中的に各系統のＴＳパケットの送出状況の監視を行うようにしてもよい。
【００４１】
なお、上記実施形態では、ハードウェア構成について説明したが、図４に示すごとく、ソフトウェア構成により実現することもできる。
【００４２】
すなわち、符号１００はＴＳ監視装置であり、表示器２０及びブザー２２を接続している。なお、上記ＴＳインタフェース部１１，１２、カウンタ１３，１４、比較器１５、タイマ１６、メモリ１７，１８、表示制御器１９、ブザー駆動部２１及びブザー制御器２３による処理は、ＴＳ監視装置１００のソフトウェア処理により実現される。
【００４３】
まず、ＴＳ監視装置１００は、図５に示す制御処理を開始すると、第１系及び第２系それぞれのＴＳパケットを取得し（ステップＳＴ５ａ）、各系統のＴＳパケット数をカウントする（ステップＳＴ５ｂ）。
【００４４】
続いて、ＴＳ監視装置１００は、各系統のカウンタ値を比較して、一致するか否かの判断を行う（ステップＳＴ５ｃ）。ここで、カウンタ値が一致しているならばＴＳ監視装置１００は、正常である旨を含む所定の監視情報をメモリに記憶する（ステップＳＴ５ｄ）。
【００４５】
一方、カウンタ値が一致していないならばＴＳ監視装置１００は、系統間のカウンタ値の差が所定値を超えたか否かの判断を行う（ステップＳＴ５ｅ）。ここで、所定値を超えていないならば、上記ステップＳＴ５ｄの処理に移行する。
【００４６】
これに対し、所定値を超えているならばＴＳ監視装置１００は、ブザー２２を駆動してアラームを出力させ（ステップＳＴ５ｆ）、続いて異常である旨を含む所定の監視情報をメモリに記憶する（ステップＳＴ５ｇ）。
【００４７】
以上のように上記他の実施形態によってもこの発明を実施することができる。特に、各処理がソフトウェアにより実現できるので、構成が簡単になり、小型化に寄与することができる。
【００４８】
その他、ＴＳ監視装置の構成、取り扱う信号の種類、アラーム判断を行う制御手順及びその内容等についても、この発明の要旨を逸脱しない範囲で種々変形して実施できる。
【００４９】
【発明の効果】
以上詳述したようにこの発明によれば、各系統で送出されるデジタル放送信号に対する監視を人手を要することなく、しかも低コストで行うことが可能な監視装置及び監視方法を提供することができる。
【図面の簡単な説明】
【図１】この発明に係るＴＳ監視装置の一実施形態を示すブロック図。
【図２】図１に示したメモリに記憶された異常判断内容の一例を示す図。
【図３】図１に示した表示器の表示内容の一例を示す図。
【図４】この発明の他の実施形態に係るＴＳ監視装置の構成を示すブロック図。
【図５】同他の実施形態における処理動作を説明するためのフローチャート。
【符号の説明】
１，１００…ＴＳ監視装置、
２，３…ＴＳパケット送出装置
１１，１２…ＴＳインタフェース部（ＴＳＩ／Ｆ）、
１３，１４…カウンタ、
１５…比較器、
１６…タイマ、
１７，１８…メモリ、
１９…表示制御器、
２０…表示器、
２１…ブザー駆動部、
２２…ブザー、
２３…ブザー制御器。
【図１】
0004237437.tif 000002
【図２】
0004237437.tif 000003
【図３】
0004237437.tif 000004
【図４】
0004237437.tif 000005
【図５】
0004237437.tif 000006